(57)【特許請求の範囲】
【請求項１】
透過性基板の一部分に反射層と受容層を積層して設け、前記受容層の内部には昇華性染料を浸透させて形成したカラー装飾模様層を設け、前記カラー装飾模様層は前記受容層の上面から１０μｍ〜５０μｍの深さに形成したことを特徴とする時計用ソーラ文字板。
【発明の詳細な説明】
【０００１】
【発明の属する技術分野】
本発明は、時計用ソーラ文字板に関し、特に昇華性染料を用いて装飾を施したソーラ文字板に関する。
【０００２】
【従来の技術】
従来、ソーラセルを内蔵する携帯時計は、一般的に時計用文字板の下面側にソーラセルを配設する構造を取る。そして、このソーラセルに光を与えるために文字板は透過性のある文字板を使用する。一方、このソーラセルは濃紫色の色調を示して外観的に好ましい色調とは云えないものであった。また、このソーラセルには四等分割した絶縁十字線があるため、この十字線が見えたりしてデザイン的にも大幅に限定されたものとなって、色調及びデザインの両面で商品性の悪いものになっていた。
【０００３】
このため、ソーラセルの濃紫色及び十字線が見えないように文字板に色々な工夫が試みられてきた。その一つに、図３に示す構造のソーラ文字板がある。このソーラ文字板３０は、その中心部に小孔３１ａと上面側に凹状段差部３１ｂを形成して着色の施したプラスチック板からなる透過性基板３１と、この凹状段差部３１ｂに接着剤３２を介して貼付けたカラー装飾模様の有した壁紙３３と、透過性基板３１の上面に貼付けた金属からなる時字３４とから構成されるものである。
【０００４】
近年のソーラ時計には、文字板の光の透過率が２５〜３０％もあれば十分満足する発電量が得られ、時計としての十分な機能を果たすものが現れてきている。図３に示すソーラ文字板３０は、壁紙３３を貼付けた部分は光が透過せず、壁紙３３を貼付けた部分の以外の部分から光を透過して、ソーラセルに必要な採光を施している。
【０００５】
上記壁紙３３を貼付けた部分は光が殆ど透過せずに反射が行われるのでソーラセルが全く見えず、壁紙３３のカラー装飾模様だけが見える。この壁紙３３は塩化ビニール等の材料で少し厚めに出来ているもので、カラー一色のものだけでなく編目模様や花模様、風景模様等と色々な模様入りのものがバリエーションの中で選択使用されている。また、壁紙に代えて装飾模様を施した金属板を貼付けて金属感を出現させる方法でしばしば使用されることもある。
【０００６】
上記壁紙３３を貼付けていない部分は透過性基板３１が直接見える。この見える部分の透過性基板３１から光が透過してソーラセルに放射する。この透過性基板３１はプラスチック板に着色を施したもので、この着色によってソーラセルの濃紫色を他の色の混色に変えて見栄えの良い色調にしている。また、十字線もこの色調によって見え難くしている。この透過性基板は文字板に高級感を持たせるためにプラスチック材に代えてセラミック材を使用することもしばしば行われている。
【０００７】
【発明が解決しようとする課題】
このような従来の構成にあっては、壁紙３３を貼付けた部分の壁紙３３のカラー装飾模様は平面的なものとなり、文字板として立体感の乏しいものとなっていた。本発明は、上記課題に鑑みてなされたもので、カラー装飾模様等を施すソーラ文字板において立体感を出現させてデザインバリエーションを増やすと共に高級感を出現させることを目的とするものである。
【０００８】
【課題を解決するための手段】
上記目的を達成するために、本発明よりなる時計用ソーラ文字板は、請求項１に記載されたように、透過性基板の一部分に反射層と受容層を積層して設け、前記カラー装飾模様層は前記受容層の上面から１０μｍ〜５０μｍの深さに形成したことを特徴とするものである。
【０００９】
これによって、受容層を反射層の上に積層して形成し、この受容層の内部に昇華性染料を浸透させて形成したカラー装飾模様層を設けると、カラー装飾模様が反射層の表面から浮き上がって、且つ受容層の表面から沈んだ位置に見えるのでカラー装飾模様に立体感の伴った配設模様として見えてくる。更に、カラー装飾模様層を受容層の上面から１０μｍ〜５０μｍの深さに形成すると、長期間において昇華性染料が逃げ出すことがなく綺麗なカラー装飾模様がいつまでも維持できる。
【００１０】
【発明の実施の形態】
以下、本発明の実施の形態を図１及び図２によって詳細に説明する。図１は本発明の第１の実施形態に係る時計用ソーラ文字板の要部断面図を示し、図２は本発明の第２の実施形態に係る時計用ソーラ文字板の要部断面図を示すものである。
【００１１】
図１より、本発明のソーラ文字板１０は、円形または矩形状の形状をなしており、その中心部に小孔１ａと上面側の内周側に凹状の段差部１ｂを有する透過性基板１と、凹状の段差部１ｂに接着剤を介して貼付けた金属板からなる反射層３と、この反射層３の上に積層して設けた透明な受容層５と、この受容層５の内部に後述する転写方法によって昇華性染料を浸透させて形成したカラー装飾模様層６と、透過性基板１の上面に貼付けた時字４とから構成される。そして、凹状の段差部１ｂの所は金属板からなる反射層３を設けてあるので光が反射して透過しない。一方、透過性基板１の凹状の段差部１ｂに設けた反射層３の形成部分以外の部分は光を透過してソーラセルに放射する。そして、ソーラセルに発電作用を起こさせる。
【００１２】
このソーラ文字板を構成する透過性基板１はセラミックや着色を施した熱に強いプラスチック板等が選択される。そして、これらは射出成形方法等で容易に形成できる。しかしながらこれらに限定されるものではなく、貴石や石、ガラス等を選択することもできる。この透過性基板１の色調や透過率は、ソーラセルの濃紫色が消え去って見栄えの良い色調になると共に十字線が見えない状態になるように選択される。そして更に、上記選択した透過率の下でソーラセルに所定の発電量が得られる所の面積量が選択される。
【００１３】
次に、透過性基板１の凹状の段差部１ｂに設けた反射層３は、本実施例では接着剤を介して金属板を貼付けたものであるが、特に金属板に限定するものではなく白色塗料や金属蒸着等を施して設けても良いものである。この反射層３には、白色塗料やアルミ金属或いは銀金属等の反射率が高いものを使用するのが好ましいものではあるが、ＮｉメッキやＣｒメッキ、或いはＡｕメッキやＡｇメッキ等メッキを施したものでも良い。この反射層３の反射率が高ければ高い程それだけ受容層５の内部に形成したカラー装飾模様層６のカラー装飾模様が鮮明に現れる。
【００１４】
次に、反射層３の上に設けられる受容層５は、本実施例では透明なポリウレタン樹脂を塗布して形成したものであるが、特にポリウレタン樹脂に限定するものではなく、ポリエステル樹脂やエポキシ樹脂、アクリル樹脂等を選択することができる。この受容層５の厚みは昇華性染料の浸透する深さに影響を及ぼすので大変重要な管理要素になる。厚みが薄いと昇華性染料が浸透して形成するカラー装飾模様層が浅くなり、温度等の変化により昇華性染料が外に抜け出してしまい装飾色調に退色現象が現れる。各種実験の結果から退色現象が起きない範囲として少なくとも１０μｍ以上の深さにカラー装飾模様層を形成する必要があることが分かった。このことから、少なくとも１０μｍ以上の厚みが必要である。更にまた、本発明ではカラー装飾模様層６のカラー装飾模様に立体感を出させることからして少なくとも３０μｍ以上の厚みに形成することが好ましい。受容層の表面から３０μｍ以上の深さにカラー装飾模様を形成すれば、この模様の上に少なくとも３０μｍ以上の透明層があることになり、模様が表面から沈んで視認できるからである。一方、厚い方については特に限定するものではなく、厚ければそれだけ昇華性染料を深く浸透させることができ、染料の外への抜け出しを防止していつまでも初期の色調を維持することができる。本実施例での受容層５の厚みは０．２ｍｍ位の厚みに形成している。また、この受容層５の上面５ａは研磨によって平滑面に仕上げられているものである。ラッピング方法等によって透過性基板１と共磨きして平滑面に仕上げることができる。
【００１５】
また、この受容層５には、昇華性染料の紫外線による退色を防止するために、紫外線吸収剤を混ぜ合わせている。紫外線吸収剤として、ベンゾトリアゾール系の紫外線吸収剤が蓚酸アニリド系やベンゾフェミン系と比べると高周波領域まで紫外線を吸収するので紫外線への耐光性を高めるのに非常に有効である。特に、各種実験結果により卓越した効果を得たところの、2-(3,5-シ゛-t-フ゛チル-2-ヒト゛ロキシフェニル)ヘ゛ンソ゛トリアソ゛ール、または2-(3-t-フ゛チル-5-メチル-2-ヒト゛ロキシフェニル)-5-クロロヘ゛ンソ゛トリアソ゛ール が良い。また、超微粒子酸化亜鉛も紫外線吸収剤として卓越した効果を示す。透明であると共に抗菌作用も有していることから好ましい紫外線吸収剤として選択できる。これらの紫外線吸収剤はバインダーに対して０．５〜１０重量部の範囲で混ぜ合わせるのが好ましく、これより少ないと耐光性の効果が落ち、多すぎると耐光性は非常に良くなるものの紫外線吸収剤粉末の色調が現れて受容層に色がつき、転写したカラー模様に本来の色調を出すことができなくなる。また、上記紫外線吸収剤を二種類以上混ぜ合わせても同じ効果が得られる。本実施例では 2-(3,5-シ゛-t-フ゛チル-2-ヒト゛ロキシフェニル)ヘ゛ンソ゛トリアソ゛ール を２．５重量部ポリウレタン樹脂に混ぜ合わせて受容層５を形成している。
【００１６】
次に、受容層５の内部に昇華性染料を浸透させて形成するカラー装飾模様層６は次のようにして形成する。パソコン画面に所望のカラー装飾模様画像を取り込み、そのカラー装飾模様画像を昇華性染料インクを使ってインクジェットプリンターで転写紙に印刷形成し、この印刷形成された転写紙を上記透過性基板１の凹状の段差部１ｂに形成した受容層５の上に重ね合わせて、加熱・加圧の下で転写紙のカラー装飾模様を受容層５に転写することによって、受容層５の中にカラー装飾模様の入ったカラー装飾模様層６が形成される。これは、転写紙にカラー装飾模様を印刷形成した昇華性染料が加熱によって気化し、この気化した染料が加圧によって受容層に浸透して同じカラー装飾模様を形成することによる。ここでのカラー装飾模様としては、単一のカラー色、格子状やストライプ状のカラー模様、各種の編目模様や幾何学的カラー模様、カラー絵画やカラー写真画等と非常に多くの模様を選択することができる。また、これらの組み合わせた模様も作成することができる。
【００１７】
また、転写における加熱・加圧力、加圧時間等の条件は、本実施例では加熱１８０℃、加圧力８０ｇ／ｃｍ2 の下で約７０秒間押圧して、受容層５の表面から模様が少し沈んで見える程度の深さの所に転写を行っているものである。ここで、加熱条件は受容層を形成した樹脂によって異なり、樹脂の軟化点前後の温度で設定すると良い。加圧力及び加圧時間は昇華性染料の浸透する深さに影響を及ぼし、加圧力が低いと昇華性染料の浸透する深さが浅くなり、加圧力が高いとそれだけ深く浸透する。また、加圧時間も同様に、時間が短いと浸透する深さが浅くなり、長くすると深く浸透させることができる。従って、加圧力と加圧時間を選択してある程度任意の深さにカラー装飾模様を転写することができる。
【００１８】
また更に、上記の条件でカラー装飾模様を形成した受容層５を再び同じ温度で加熱することによって、浸透した昇華性染料の横との混じり合い等が起きて非常に綺麗なカラー装飾模様が得られる。このようにして形成されたカラー装飾模様は、昇華性染料が透明な受容層５の中で気体状になって形成されているので非常に色鮮やかな色調を示す。
【００１９】
このように、受容層５の内部に沈んだ状態でカラー装飾模様を形成することによって、斜め横からこのカラー装飾模様を眺めると、反射層３からの反射光、装飾模様からの反射光、表面からの反射光の作用によって立体感の感じる文字板となって現れる。
【００２０】
尚ここで、転写紙から加熱・加圧の下で転写するに際し、受容層５の上面５ａが平滑面になっていることが非常に重要である。平滑面になっているといずれの部位も均等な加圧力が加わるので、いずれの部位も均一な深さに昇華性染料が浸透すると共に転写色調に濃い、薄いのムラが発生せず、非常に綺麗な転写模様が得られるからである。
【００２１】
次に、本実施例での時字４は金属で形成されたものを接着剤を介して透過性基板１の上面に貼付けたものである。この時字４はデザインに合わせて接着方法、印刷方法、植字方法等と適宜選択するのが良い。
【００２２】
以上の方法によって本実施例のソーラ文字板１０が完成される。以上述べたように、透過性基板１に凹状の段差部１ｂを形成し、この段差部１ｂに反射層３と所要の厚みの受容層５を設けて、受容層５と透過性基板１とを共磨きして表面を平滑面にすることによって、平坦で光沢のある綺麗な文字板表面に仕上げることができる。更に、受容層５の内部の深い所にカラー装飾模様を形成することにより表面からの沈みを伴って立体感の現れた文字板が得られる。しかも、そこには非常に綺麗なカラー装飾模様が現れる。
【００２３】
また、図１に示す本実施例では、カラー装飾模様を文字板の内周側に大きく一箇所設けたが、これを複数個均等な大きさで設けても良いものである。例えば、ソーラセルを四等分割したそれぞれ四つの面の均等な位置に対応する文字板の四箇所の位置にそれぞれ同じ面積の反射層、受容層を設け、この受容層にカラー装飾模様を形成することもできる。この場合にはそれぞれ異なったカラー装飾模様を設けるとなお一層装飾性が増す。
【００２４】
次に、図２に示すのは本発明の第２の実施形態に係る時計用ソーラ文字板２０の要部断面図である。第１の実施例と同一部品は同一符号で示す。図１と異なる所は、透過性基板１上の反射層３及び受容層５が形成されていない部分に透過性の薄い装飾部材１８を設けた構造を取っている。そして、この装飾部材１８の上面に接着剤を介して時字４を貼付けた構造を取っている。
【００２５】
ここでの装飾部材１８としては、貝、貴石、石、セラミック等が選択される。これらの装飾部材１８を薄い板状にして透過性を持たせ、接着剤を介して透過性基板１に貼付けることによって形成される。
【００２６】
また、ここでの反射層３及び受容層５、そして、この受容層５の内部に形成するカラー装飾模様層６は図１で説明した第１の実施例と同じであるのでここでは省略する。このような構造にすることによって装飾性が豊かになると同時に高級感も現れて、模様の立体感と豊かな装飾性、高級感の伴ったソーラ文字板を得る。
【００２７】
【発明の効果】
以上詳細に説明したように、本発明によれば、反射層の上に受容層を設け、この受容層の内部に昇華性染料を浸透させてカラー装飾模様を形成すれば、カラー装飾模様を施しての立体感の現れたソーラ文字板を得ることができる。更に、カラー装飾模様を受容層の上面から１０μｍ〜５０μｍの深さに形成することにより耐候性に優れた装飾模様が維持できる。
【図面の簡単な説明】
【図１】  本発明の第１の実施形態に係る時計用ソーラ文字板の要部断面図である。
【図２】  本発明の第２の実施形態に係る時計用ソーラ文字板の要部断面図である。
【図３】  従来の時計用ソーラ文字板の要部断面図である。
【符号の説明】
１    透過性基板
１ｂ  凹状の段差部
３    反射層
４    時字
５    受容層
５ａ  上面
６    カラー装飾模様層
１０、２０  時計用ソーラ文字板
１８  装飾部材
【図１】
0003645783.tif 000002
【図２】
0003645783.tif 000003
【図３】
0003645783.tif 000004